(57)【要約】【課題】  従来の額縁神棚や神殿には設置場所として家具などの置物や棚等の上面にのせるか立てかけるなどし設置場所も限定される、また宗教色も強く美術的に鑑賞する感覚に乏しい問題があり叉現代の洋式建築の洋間，和室や廊下などいろいろな設置場所に簡単に取り付けやすいマッチしたデザインの美術的立体額縁神殿は無く必要性の課題がある。【解決の手段】  本発明は図１の１美術立体額縁ケースは１ａ美術立体額縁外枠と１ｂ美術立体額縁内枠１ｃ金張り飾り枠で組み立てた美術立体額縁ケースの１ｂ美術立体額縁内枠の立方体で奥行のあるケース内に２立体神殿本体や、３お供え台、４お賽銭箱、５塀、６常緑樹（神樹）、７砂利道、８石敷参道、その他、しめ縄、鈴、供え物、神旗など小物補助部品などを立体的に精密かつ芸術的に製作した製品を遠近画法方法でバランスよく配置した美術立体神殿全景より美術感覚が高まり現代建築にあう設置場所も広がり癒し効果も高まる。【選択図】  図１
2005160975.tif 000002
【特許請求の範囲】
【請求項１】
美術額縁に奥行きのある立方体箱を装着した額縁内枠になる立方体ケース部に立体的に組み込んだ美術立体神殿額縁。
【請求項２】
請求項１の額縁に和楽器音や野鳥、昆虫の鳴き声を録音したメモリ再生装置を内臓した請求項２の美術立体神殿額縁。
【請求項３】
請求項２の額縁に癒しと健康に良いマイナスイオン発生装置を内臓した請求項３の美術立体神殿額縁。
【発明の詳細な説明】
【技術分野】
【０００１】  本発明は宗教的でなく芸術的に美術鑑賞するための美術立体額縁ケースの立方体に装着した美術立体額縁神殿に関する。
【背景技術】
【０００２】  従来の額縁神棚や神殿には宗教色が強く祈願用紙、お札、御神体の絵、丸鏡、社殿の写真等の収納可能を施したものが多い、叉設置場所として家具、屋内置き物等の上面や棚内に立て掛ける等の手段がある特許文献１参照。また、お守り札、宝くじ、願い事記入紙等を入れる神殿を施したものがある実用文献１参照。【０００３】
【特許文献１】特開平６−３４３５４３号
【実用文献１】
登録第３０１３７０９号
【発明の開示】
【発明が解決しようとする課題】
【０００４】  従来はお札、お守り、宝くじ等の収納出きる簡易神棚や簡易木枠額縁は存在したがあまりにも宗教色が強く棚や家具上面に置き、芸術的に製作した立体額縁神殿を室内に設置し美術的に鑑賞する感覚に乏しい。
【課題を解決するための手段】
【０００５】  本発明は奥行きのある美術立体額縁の立方体の額縁内枠の特殊ケース部に、ミニ美術神殿をより精密かつ芸術的に立体製作した本体神殿と全景レイアウト用の土塀、竹塀，神社のぼり等また常緑樹（神樹）や敷石参道、砂利道、しめ縄、鈴、お供え物など小物補助部品を立体的に遠近画技方法で全景にバランスよく芸術的に配置する、また願い事記入紙、受験番号紙、宝くじ等を簡単に出し入れ出きるお賽銭箱デザイン収納箱とで構成する。
【発明の効果】
【０００６】  本発明の美術立体額縁神殿は宗教的でなく芸術的に精密に立体的に製作した本体神殿と全景レイアウト補助部品とからなり、お札、御神体、護摩札などを入れるのはあくまで補助的であり美術鑑賞を主体とした美術立体額縁製品のため奥行のある東洋美術として応接間や和室にマッチし癒し効果もある、【０００７】  またより立体の効果を演出するため上部の額縁にＬＥＤ光源を内蔵し光による影をいかし立体の効果を高める、【０００８】  さらに和楽器音叉は蜩の鳴き声やセミの鳴き声、野鳥の鳴き声を自動的、定期的または人の接近により作動するようにし、より癒し効果を高める，【０００９】  また−イオン発生装置を内蔵し健康と安らぎを高める効果もある、【００１０】  なかには宝くじ、受験番号カード、お願い事紙等を縁起かつぎとして収納したい人のためにお賽銭箱デザインケースを出し入れの簡単な前面の場所に付属することで安心感による癒しの効果を高める，
【発明を実施するための最良の形態】
【実施例】
【００１１】  以下、添付図面に従って一実施例を説明する。
【図３】
１ａ美術立体額縁外枠に
【図２】
１ｅＬＥＤ照明装置を組み込んだ
【図４】
１ｇ音響再生装置１ｉマイナスイオン発生装置付の１ｂ美術立体額縁内枠を木ねじで組み立て
【図１】
１美術立体額縁ケースとする。
【００１２】  次に
【図６】
２立体神殿本体に
【図５】
２ａ金板社紋と２ｃ金板梅マークのついた２ｂ銅板加工屋根を接着する、接着した
【図６】
２立体神殿本体を
【図４】
１ｂ美術立体額縁内枠の
【図２】
１ｆ額縁内枠裏板に正面から見て中央の少し上に接着固定する、
【００１３】
【図１】
５の塀
【図９】
５ａの土塀表面は紙粘土で作製し５ｂ半月瓦は竹を割り黒で仕上げ接着加工し
【図１】
２立体神殿本体の左右に接着固定する、
【図７】
３お供え台に２ａ金板，神紋マーク、３ａ花瓶、３ｂ穀物，を接着し
【図６】
２立体神殿本体の２ｈ階段の下の中央に接着する、
【図１】
７砂利道は木工ボンドを塗った上に砂をまき薄いグレーで着色し仕上げる８石敷参道は石垣の図柄を張りグレイ色で仕上げる
【図８】
６ａみきの本体の緑針金に緑系スポンジ材を小さくし６ｂ枝，葉として接着し製作した６常緑樹（神樹）をバランスよく配置し接着する、最後に
【図１】
のように背景全体に合わせていろいろな小物補助部品，しめ縄，鈴，社旗、などをアレンジして仕上げ完成する、また季節の変化をたのしむため常緑樹の色を紅葉させたり背景に合わせてわたの雪を付けたり時間の変化をイメージするためＬＥＤの照明の色を白、オレンジ、青など変化させたり叉１ｇ音響装置の再生や１ｉマイナスイオン発生装置の動作によりいつそうの健康と癒しの効果を高め楽しむ事ができる
【図面の簡単な説明】
【００１４】
【図１】  美術立体額縁神殿正面図である。
【図２】  美術立体額縁断面図である。
【図３】  美術立体額縁外枠斜視図である。
【図４】  美術立体額縁内枠斜視図である。
【図５】  神殿屋根斜視図である。
【図６】  神殿本体斜視図である。
【図７】  お供え台斜視図である。
【図８】  常緑樹（神樹）斜視図である。
【図９】  塀斜視図である。
【図１０】  お賽銭デザイン斜視図である。
【符号の説明】
【００１５】１，美術立体額縁ケース
１ａ美術立体額縁外枠
１ｂ美術立体額縁内枠
１ｃ金張り飾り枠
１ｄ上部照明ＬＥＤ内臓ふた
１ｅＬＥＤ（発光ダイオード）照明装置、
１ｆ額縁内枠裏
１ｇ音響再生装置
１ｈスピーカー窓
１ｉマイナスイオン発生装置
１ｊマイナスイオン投射窓
２、立体神殿本体
２ａ金板，神紋マーク
２ｂ銅版加工屋根
２ｃ金板梅マーク
２ｄ，神殿廊下
２ｅ廊下手すり
２ｆ手すり
２ｇ神殿観音扉
２ｈ階段
３、お供え台、  、、
３ａ花瓶
３ｂ穀物
４，お賽銭箱
４ａ箱ふた
５，塀
５ａ土塀
５ｂ半月瓦
６，常緑樹（神樹）
６ａ，木体
６ｂ，枝、葉
７  砂利道
８，石敷参道
９，背景シルク布
１０，白麻布
【図１】
2005160975.tif 000003
【図２】
2005160975.tif 000004
【図３】
2005160975.tif 000005
【図４】
2005160975.tif 000006
【図５】
2005160975.tif 000007
【図６】
2005160975.tif 000008
【図７】
2005160975.tif 000009
【図８】
2005160975.tif 000010
【図９】
2005160975.tif 000011
【図１０】
2005160975.tif 000012